【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
遊技の進行を制御する主制御装置と、前記主制御装置からのコマンドに応じて演出を行うサブ制御装置と、第１大入賞口と、確変口が設けられた第２大入賞口とを備える弾球遊技機において、
前記主制御装置は、
始動口への入球により乱数を抽出し、当否判定を行うと共に、該当否判定で大当りとなった場合には、当り図柄を決定する当否判定手段と、
前記当否判定で大当りになると、前記当り図柄に応じた開放パターンに従い、複数のラウンドにわたり大当り遊技を行い、各ラウンドでは、前記第１大入賞口又は前記第２大入賞口を開放すると共に、前記第２大入賞口を開放する際には、入球が困難となる程度に短時間開放する移行不能状態とするか、或いは、入球が容易となる程度に長時間開放する確変移行状態とする特定遊技手段と、
前記大当り遊技中に前記確変口への入球が生じると、当該大当り遊技終了後の遊技状態を、前記当否判定で当る確率が上昇する確変状態に設定する確変設定手段と、
前記遊技の進行状況に関する前記コマンドを、前記サブ制御装置に送信する送信手段と、を備え、
前記開放パターンとして、少なくとも１ラウンド目において前記第２大入賞口が前記確変移行状態となる突確パターンと、２ラウンド目以降のラウンドにおいて前記第２大入賞口が前記確変移行状態となる昇格パターンとを有し、
前記サブ制御装置は、前記突確パターンの前記大当り遊技が行われる場合には、前記コマンドに応じて、該大当り遊技の開始前に前記確変状態への移行を示唆する前記演出を行うと共に、前記昇格パターンの前記大当り遊技が行われる場合には、前記コマンドに応じて、当該大当り遊技の途中に前記確変状態への移行を示唆する前記演出を行うこと、
【請求項２】
請求項１に記載の弾球遊技機において、
前記当否判定手段は、さらに、前記当否判定において小当りとなったか否かを判定し、
前記特定遊技手段は、前記当否判定で前記小当りになると、予め定められた回数にわたり前記第２大入賞口の前記短時間開放を行い、
前記サブ制御装置は、前記小当りが生じた場合には、前記コマンドに応じて、前記第２大入賞口の前記短時間開放が開始される前に、前記確変状態への移行を示唆する前記演出を行うこと、
を特徴とする弾球遊技機。
【請求項３】
遊技の進行を制御する主制御装置と、前記主制御装置からのコマンドに応じて演出を行うサブ制御装置と、第１大入賞口と、確変口及び該確変口を開閉する開閉部材が設けられた第２大入賞口とを備える弾球遊技機において、
前記主制御装置は、
始動口への入球により乱数を抽出し、当否判定を行うと共に、該当否判定で大当りとなった場合には、当り図柄を決定する当否判定手段と、
前記当否判定で大当りになると、前記当り図柄に応じた開放パターンに従い、複数のラウンドにわたり大当り遊技を行い、各ラウンドでは、前記第１大入賞口又は前記第２大入賞口を開放すると共に、前記第２大入賞口を開放する際、予め定められた開閉パターンに従い前記開閉部材により前記確変口を開閉する特定遊技手段と、
前記大当り遊技中に前記確変口への入球が生じると、当該大当り遊技終了後の遊技状態を、前記当否判定で当る確率が上昇する確変状態に設定する確変設定手段と、
前記遊技の進行状況に関する前記コマンドを、前記サブ制御装置に送信する送信手段と、を備え、
前記特定遊技手段は、前記第２大入賞口を開放する際、その開放タイミング、又は、前記確変口の開閉タイミングを調整することで、該第２大入賞口を、前記確変口への入球が困難或いは不可能な移行不能状態と、前記確変口への入球が容易な確変移行状態のいずれかに設定し、前記大当り遊技を行う際、該大当り遊技に係る前記開放パターンに従い、前記第２大入賞口を開放する際に、該第２大入賞口を前記移行不能状態と前記確変移行状態のいずれかに設定し、
前記開放パターンとして、少なくとも１ラウンド目において前記第２大入賞口が前記確変移行状態となる突確パターンと、２ラウンド目以降のラウンドにおいて前記第２大入賞口が前記確変移行状態となる昇格パターンとを有し、
前記サブ制御装置は、前記突確パターンの前記大当り遊技が行われる場合には、前記コマンドに応じて、該大当り遊技の開始前に前記確変状態への移行を示唆する前記演出を行うと共に、前記昇格パターンの前記大当り遊技が行われる場合には、前記コマンドに応じて、当該大当り遊技の途中に前記確変状態への移行を示唆する前記演出を行うこと、
を特徴とする弾球遊技機。
【請求項４】
請求項３に記載の弾球遊技機において、
前記当否判定手段は、さらに、前記当否判定において小当りとなったか否かを判定し、
前記特定遊技手段は、前記当否判定で前記小当りになると、予め定められた回数にわたり、前記第２大入賞口を入球が容易となる程度の時間にわたり開放すると共に、前記第２大入賞口の開放の際には、前記第２大入賞口を前記移行不能状態として前記開閉パターンに従い前記開閉部材により前記確変口を開閉し、
前記サブ制御装置は、前記小当りが生じた場合には、前記コマンドに応じて、前記第２大入賞口の開放が開始される前に、前記確変状態への移行を示唆する前記演出を行うこと、
を特徴とする弾球遊技機。
【請求項５】
遊技の進行を制御する主制御装置と、前記主制御装置から送信されるコマンドに応じて演出を行うサブ制御装置と、確変口が設けられた大入賞口とを備える弾球遊技機において、
前記主制御装置は、
始動口への入球により乱数を抽出し、当否判定を行うと共に、該当否判定で大当りとなった場合には、当り図柄を決定する当否判定手段と、
前記当否判定で大当りになると、前記当り図柄に応じた開放パターンに従い、複数のラウンドにわたり大当り遊技を行うと共に、前記確変口への入球が比較して困難な第１開放パターンとするか、比較して入球が容易となる第２開放パターンとする特定遊技手段と、
前記確変口への入球に基づいて、当該大当り遊技終了後の遊技状態を、前記当否判定で当る確率が上昇する確変状態に設定する確変設定手段と、を備え、
前記第２開放パターンには、
少なくとも、所定のラウンドにて前記第２開放パターンとなる第１入球容易パターンと、前記所定のラウンド以外のラウンドにて前記第２開放パターンとなる第２入球容易パターンとを有し、
前記サブ制御装置は、前記第１入球容易パターンの前記大当り遊技が行なわれる場合には、該大当り遊技開始以前に前記確変状態への移行を示唆する第１示唆演出を行い、
前記第２入球容易パターンの前記大当り遊技が行なわれる場合には、当該大当り遊技開始以後に前記確変状態への移行を示唆する第２示唆演出を行うこと、
を特徴とする弾球遊技機。
【手続補正２】
【補正対象書類名】明細書
【補正対象項目名】００２４
【補正方法】変更
【補正の内容】
【００２４】
また、請求項５に係る発明は、遊技の進行を制御する主制御装置と、前記主制御装置から送信されるコマンドに応じて演出を行うサブ制御装置と、確変口が設けられた大入賞口とを備える弾球遊技機において、
前記主制御装置は、
始動口への入球により乱数を抽出し、当否判定を行うと共に、該当否判定で大当りとなった場合には、当り図柄を決定する当否判定手段と、
前記当否判定で大当りになると、前記当り図柄に応じた開放パターンに従い、複数のラウンドにわたり大当り遊技を行うと共に、前記確変口への入球が比較して困難な第１開放パターンとするか、比較して入球が容易となる第２開放パターンとする特定遊技手段と、
前記確変口への入球に基づいて、当該大当り遊技終了後の遊技状態を、前記当否判定で当る確率が上昇する確変状態に設定する確変設定手段と、を備え、
前記第２開放パターンには、
少なくとも、所定のラウンドにて前記第２開放パターンとなる第１入球容易パターンと、前記所定のラウンド以外のラウンドにて前記第２開放パターンとなる第２入球容易パターンとを有し、
前記サブ制御装置は、前記第１入球容易パターンの前記大当り遊技が行なわれる場合には、該大当り遊技開始以前に前記確変状態への移行を示唆する第１示唆演出を行い、
前記第２入球容易パターンの前記大当り遊技が行なわれる場合には、当該大当り遊技開始以後に前記確変状態への移行を示唆する第２示唆演出を行うこと、
を特徴とする。
【手続補正３】
【補正対象書類名】明細書
【補正対象項目名】００２５
【補正方法】変更
【補正の内容】
【００２５】
こうすることにより、確変状態への移行について多様な演出を行うことが可能となる。